(57)【要約】  ボトルからシリンジ、またはシリンジからボトルへの、流体または薬剤の移送を容易にするための、コンテナまたは薬瓶に結合するための流体移送コネクタまたはアダプタ。必要に応じて、追加のコネクタを提供して、流体移送コネクタをシリンジに結合することができる。必要に応じて、ボトルの内に残留する流体が残ることを防ぐために、コネクタに、傾斜したベースを設けることができる。【選択図】図３１
2020530334.tif 000002
【特許請求の範囲】
【請求項１】
ボトルアダプタコネクタであって、
第１端部と第２端部との間に延在し、外周面と内周面とを備える略円筒形の本体部と、
凹部であって、前記第１端部からアクセス可能な前記本体部の前記内周面、前記第２端部に位置するベース部、及び前記ベース部の略中央に位置し前記第１端部に向かって突出する雄継手によって画定され、前記雄継手は前記雄継手を貫通する導管を有する、該凹部とを有し、
前記ベース部は、前記第１端部に向かって前記雄継手の前記導管まで延在する傾斜面を有することを特徴とするボトルアダプタコネクタ。
【請求項２】
請求項１に記載のボトルアダプタコネクタであって、
前記雄継手は、雄ＥＮＦｉｔ適合継手を含むことを特徴とするボトルアダプタコネクタ。
【請求項３】
請求項２に記載のボトルアダプタコネクタであって、
前記雄ＥＮＦｉｔ適合継手は、雌ＥＮＦｉｔ適合継手と係合するように構成されていることを特徴とするボトルアダプタコネクタ。
【請求項４】
請求項３に記載のボトルアダプタコネクタであって、
前記雌ＥＮＦｉｔ適合継手は、前記雄ＥＮＦｉｔ適合継手の前記導管の一部の中で拡張する用量制御継手をさらに含むことを特徴とするボトルアダプタコネクタ。
【請求項５】
請求項１に記載のボトルアダプタコネクタであって、
前記外周面は、薬瓶の開口部または口との摩擦係合を提供するための、横方向にオフセットされた複数のフランジを有することを特徴とするボトルアダプタコネクタ。
【請求項６】
請求項５に記載のボトルアダプタコネクタであって、
前記ボトルアダプタコネクタの円筒形の前記本体部は、約１２〜２８ミリメートルの直径を有することを特徴とするボトルアダプタコネクタ。
【請求項７】
請求項１に記載のボトルアダプタコネクタであって、
円筒形の前記本体部の前記外周面から外向きに延在するシェルフをさらに有することを特徴とするボトルアダプタコネクタ。
【請求項８】
請求項１に記載のボトルアダプタコネクタであって、
前記傾斜面は、円筒形の前記本体部の延長部に対して約０．５〜８９．５度の角度をなしていることを特徴とするボトルアダプタコネクタ。
【請求項９】
請求項１に記載のボトルアダプタコネクタであって、
前記傾斜面は、円筒形の前記本体部の延長部に対して約３０〜７０度の角度をなしていることを特徴とするボトルアダプタコネクタ。
【請求項１０】
請求項７に記載のボトルアダプタコネクタであって、
前記シェルフの表面は、前記コネクタがボトルの口の中に完全に挿入されたときに、前記ボトルの前記口の端部と係合するように構成されていることを特徴とするボトルアダプタコネクタ。
【請求項１１】
請求項１に記載のボトルアダプタコネクタであって、
前記第２端部に画定された導入部をさらに有することを特徴とするボトルアダプタコネクタ。
【請求項１２】
請求項１に記載のボトルアダプタコネクタであって、
前記雄継手が前記本体部の端部を越えて延び、前記コネクタの上のキャップを閉じることにより、前記雄継手の前記導管が前記キャップによってシールされることを特徴とするボトルアダプタコネクタ。
【請求項１３】
請求項１に記載のボトルアダプタコネクタであって、
前記傾斜面の少なくとも一部は、テクスチャ加工された面を含むことを特徴とするボトルアダプタコネクタ。
【請求項１４】
請求項１３に記載のボトルアダプタコネクタであって、
前記テクスチャ加工された面は、疎水性または疎油性の面を含むことを特徴とするボトルアダプタコネクタ。
【請求項１５】
ボトルの開口部または口と接続し、前記ボトルから流体を引き出すための、シリンジ内に接続されたボトルアダプタコネクタであって、
外周面と内周面とを有する略円筒形の本体部と、
凹部であって、前記本体部の前記内周面、ベース部材、及び前記ベース部材の略中央に位置する雄継手によって画定され、前記雄継手は前記雄継手を貫通する導管を有する、該凹部とを有し、
前記ベース部材は、前記導管に向かって内向きに傾斜した傾斜面を有し、前記ボトルから流体を引き出すことが望ましいときに、前記ボトル内の流体の、すべてではなくとも実質的な量が、前記導管内を流れ、さらに前記シリンジに入るように導かれることを特徴とするボトルアダプタコネクタ。
【請求項１６】
請求項１５に記載のボトルアダプタコネクタであって、
前記傾斜面は、円筒形の前記本体部に対して約３０〜７０度の角度をなしていることを特徴とするボトルアダプタコネクタ。
【請求項１７】
請求項１５に記載のボトルアダプタコネクタであって、
前記雄継手は、雄ＥＮＦｉｔ適合継手を含むことを特徴とするボトルアダプタコネクタ。
【請求項１８】
請求項１７に記載のボトルアダプタコネクタであって、
前記雄ＥＮＦｉｔ適合継手は、雌ＥＮＦｉｔ適合継手と係合するように構成されていることを特徴とするボトルアダプタコネクタ。
【請求項１９】
請求項１８に記載のボトルアダプタコネクタであって、
前記雌ＥＮＦｉｔ適合継手は、前記雄ＥＮＦｉｔ適合継手の前記導管の一部の中で拡張する用量制御継手をさらに含むことを特徴とするボトルアダプタコネクタ。
【請求項２０】
請求項１５に記載のボトルアダプタコネクタであって、
前記傾斜面の少なくとも一部は、疎水性または疎油性の、テクスチャ加工された面を含むことを特徴とするボトルアダプタコネクタ。
【発明の詳細な説明】
【技術分野】
【０００１】
（関連出願への相互参照）
本出願は、２０１７年８月１１日に出願された米国仮特許出願第６２／５４４，１６７号の優先権を主張するものであり、２０１７年２月２３日に出願された米国非仮特許出願第１５／４４０，１０５号の一部継続出願である。米国非仮特許出願第１５／４４０，１０５号は、２０１６年２月２４日に出願された米国仮特許出願第６２／２９９，２１０号の優先権を主張するものである。米国仮特許出願第６２／２９９，２１０号は、２０１６年９月８日に出願された米国仮特許出願第６２／３８４，８４８号及び２０１６年１１月１７日に出願された米国仮特許出願第６２／４２３，４８４号の優先権を主張するものである。これらのすべては、参照によりその全体が本明細書に組み込まれる。
【０００２】
本発明は、一般に、流体の格納、保管及び送達の分野に関し、より詳細には、容器または薬瓶とシリンジとの間の流体の移送を促進するためのキャップ装置、ボトルアダプタ、または流体移送継手に関する。
【背景技術】
【０００３】
薬剤、サプリメント、母乳、人工乳などの流体の収集、保管、及び送達には、様々な容器が使用される。例えば、一般に薬瓶に大容量で保管され、より少ない規定量で、より小さな容器に一般に分配される流体薬剤を分配する場合、シリンジを使用して流体を測定及び移送できる。多くの場合、移送用の蓋またはキャップが大容量のコンテナで使用され、コンテナから簡単に繰り返し分配することができる。小容量の容器は、通常、シリンジと容器との間で流体を移送するための「圧入」式の、または段付けされた経腸専用のアダプタを受け入れる。
【０００４】
一般に、シリンジがアダプタと係合し、コネクタがボトルの開口部と係合した状態で、シリンジのプランジャを後退させて、ボトルからシリンジのバレル内に流体を引き出すことができる。しかし、アダプタの構成により、例えば、アダプタの開口部内のシリンジ継手の高さまたは延長部がフロア面またはアダプタの底部の内側部分の上方に配置されているため、ボトル内の少なくとも一部の流体をそこから引き出すことができない。ほとんどの場合、ボトル内の残りの流体は、約０．５０ｇ〜約１．５０ｇ、例えばいくつかの例によれば、約０．６８ｇ〜約１．１２ｇの範囲であり得る。
【０００５】
流体薬剤などの流体の移送及び分配に対する継続的な改善が求められている。本発明が主に対象とするのは、これらのニーズ、及び他のニーズを満たす改良された流体移送コネクタの提供である。
【発明の概要】
【課題を解決するための手段】
【０００６】
例示的な実施形態では、本発明は、薬瓶または他の容器からシリンジまたは他の流体移送手段への流体の移送を容易にするためのキャップ装置または蓋、ボトルアダプタまたは流体移送継手を提供する。
【０００７】
一態様では、本発明は、ボトルアダプタコネクタであって、外周面及び内周面を有する略円筒形の本体部と、本体部の内周面、ベース部材、及びベース部材の略中央に位置する雄継手によって画定された凹部とを含み、雄継手は、雄継手を貫通して延びる導管を含む、該ボトルコネクタに関する。
【０００８】
例示的な実施形態では、雄継手は、雄ＥＮＦｉｔ適合継手を含む。例示的な実施形態では、雄ＥＮＦｉｔ適合継手は、雄ＥＮＦｉｔ適合継手と係合するように構成される。例示的な実施形態では、雌ＥＮＦｉｔ適合継手は、雄ＥＮＦｉｔ適合継手の導管の一部の中で拡張する用量制御継手を含む。
【０００９】
例示的な実施形態では、外周面は、薬瓶の開口部との摩擦係合を提供するための、横方向にオフセットされた複数のフランジを含む。例示的な実施形態では、ボトルアダプタは、約１２〜２８ミリメートルの直径を有する。
【００１０】
例示的な実施形態では、アダプタは、外側カラー及びシール機構をさらに含むことができ、シール機構は、雄継手の周囲、かつ、外側カラーと雄継手との間に画定される凹部内に嵌合するように構成される。例示的な実施形態では、シール機構は、雄継手を受け入れるための第１開放端部と、実質的に閉じた第２端部とを有する実質的に弾性のグロメットを含む。例示的な実施形態では、弾性グロメットはシリコーンから形成される。
【００１１】
例示的な実施形態では、キャップをボトルアダプタの本体部につなぐことができる。例示的な実施形態では、ベース部材は、雄継手が軸方向に移動可能であるように、実質的に可撓性を有しており、弾性変形可能である。例示的な実施形態では、雄継手は本体部の端部を超えて延び、コネクタの上のキャップを閉じると雄継手が軸方向に変位し、導管は、一般に、キャップによってシールされる。
【００１２】
別の態様では、本発明は、略円形の上部パネルと、第１の継手と、取り付けカラーとを含む流体移送蓋に関する。第１の継手は、長さを有し、円形上部パネルから第１の軸に沿って長手方向に延び、ルーメン（内腔）は、第１の継手を通って第１の軸に沿って略軸方向に延在する。取り付けカラーは、円形上部パネルから第２の方向に延在し、その内周面は、容器の対応するねじに解放可能に係合するようにねじが切られている。
【００１３】
例示的な実施形態では、第１の継手は、雌経腸専用継手を含む。例示的な実施形態では、蓋は、蓋につながれたアダプタをさらに備えることができ、アダプタは、略軸方向に整列し、中央フランジ部材から反対方向に延びる雄ＥＮＦｉｔ適合継手及び雄経腸専用継手を含む。例示的な実施形態では、アダプタは、アダプタにつながれたクロージャをさらに備える。
【００１４】
例示的な実施形態では、蓋は、長さを有し、円形上部パネルから第２の軸に沿って長手方向に延びる第２の継手をさらに備え、第２の軸は、第１の軸に対して略平行であり、ある距離を置いて配置されている。例示的な実施形態では、第２の継手は、第２の軸に沿って略軸方向に延在するルーメンを含む。例示的な実施形態では、第２の継手は、雄ＥＮＦｉｔ適合継手を含む。
【００１５】
例示的な実施形態では、蓋は、蓋につながれたクロージャをさらに備えることができ、クロージャは、クロージャが取り外された開放構成と、クロージャが継手と係合してそのルーメンをシールする閉鎖構成との間で独立して動くことができる。
【００１６】
さらに別の態様では、本発明は、第１端部及び第２端部を有する円盤形本体部を含む流体移送用のアダプタに関し、円盤形外側本体部は、少なくとも約２．２５インチの外径を画定し、本体部は、第１の継手を画定する第１の表面と、第２の継手を含む第２の表面とを有する。例示的な実施形態では、導管は、第１端部から第２端部まで継手全体を貫通して延びる。
【００１７】
例示的な実施形態では、第１の継手は、本体部の略中央に位置して第１端部に向かって延び、第２の継手は、第１の継手と略軸方向に整列して第２端部に向かって延びる。例示的な実施形態では、第１の継手は、雄ＥＮＦｉｔ適合継手を含み、第２の継手は、雄経腸専用継手を含む。
【００１８】
さらに別の態様では、本発明は、ボトルの開口部または口と接続し、ボトルから流体を引き出すための、シリンジ内に接続されたボトルアダプタコネクタに関する。コネクタは、外周面及び内周面を有する略円筒形の本体部と、凹部であって、前記第１端部からアクセス可能な前記本体部の前記内周面、前記第２端部に位置するベース部材、及び前記ベース部材の略中央に位置し前記第１端部に向かって突出する雄継手によって画定され、前記雄継手は前記雄継手を貫通する導管を有する、該凹部とを有し、ベース部材は、導管に向かって内向きに傾斜した傾斜面を有し、ボトルから流体を引き出すことが望ましいときに、ボトル内の流体の、すべてではなくとも実質的な量が、導管内を流れ、さらにシリンジに入るように導かれる。
【００１９】
さらに別の態様では、本発明は、第１端部と第２端部との間に延在し、外周面及び内周面を有する、略円筒形の本体部を備えるボトルアダプタコネクタに関する。凹部は、本体部の内周面によって画定され、第１端部からアクセス可能であり、ベース部は第２端部に位置し、雄継手は、ベース部の略中央に位置し、第１端部に向かって突出する。雄継手は、雄継手を通って延びる導管を有する。例示的な実施形態では、ベース部は、第１端部に向かって雄継手の導管まで延在する傾斜面を有する。
【００２０】
例示的な実施形態では、雄継手は、雄ＥＮＦｉｔ適合継手を含む。例示的な実施形態では、雄ＥＮＦｉｔ適合継手は、雌ＥＮＦｉｔ適合継手と係合するように構成される。例示的な実施形態では、雌ＥＮＦｉｔ適合継手は、雄ＥＮＦｉｔ適合継手の導管の一部の中で拡張する用量制御継手をさらに有する。例示的な実施形態では、外周面は、薬瓶の開口部または口との摩擦係合を提供するための、横方向にオフセットされた複数のフランジを備える。例示的な実施形態では、ボトルアダプタコネクタの円筒形本体部は、約１２〜２８ミリメートルの直径を有する。例示的な実施形態では、コネクタは、円筒形本体部の外周面から外向きに延在するシェルフをさらに備える。例示的な実施形態では、傾斜面は、円筒形本体部の延長部に対して約０．５〜８９．５度の角度をなしている。例示的な実施形態では、傾斜面は、円筒形本体部の延長部に対して約３０〜７０度の角度をなしている。例示的な実施形態では、棚の表面は、コネクタがボトルの口内に完全に挿入されたときにボトルの口の端部と係合するように構成されている。例示的な実施形態では、第２端部に画定された導入部をさらに備える。例示的な実施形態では、雄継手は本体部の端部を超えて延び、コネクタの上のキャップを閉じると、雄継手の導管はキャップによってシールされる。例示的な実施形態では、傾斜面の少なくとも一部は、テクスチャ加工された面を有する。例示的な実施形態では、テクスチャ加工された面は、疎水性または疎油性の面を含む。
【００２１】
さらに別の例示的な実施形態では、本発明は、ボトルの開口部または口と接続し、ボトルから流体を引き出すための、シリンジ内に接続されたボトルアダプタコネクタに関する。例示的な実施形態では、コネクタは、外周面及び内周面を有する略円筒形の本体部を備える。凹部は、本体部の内周面、ベース部材、及び、ベース部材の略中央に位置する雄継手によって画定される。雄継手は、雄継手を通って延びる導管を有する。例示的な実施形態では、ベース部材は、導管に向かって内向きに傾斜した傾斜面を有し、ボトルから流体を引き出すことが望ましいときに、ボトル内の流体の、すべてではなくとも実質的な量が、導管内を流れ、さらにシリンジに入るように導かれる。
【００２２】
例示的な実施形態では、傾斜面は、円筒形本体部の延長部に対して約３０〜７０度の角度をなしている。例示的な実施形態では、雄継手は、雄ＥＮＦｉｔ適合継手を含む。例示的な実施形態では、雄ＥＮＦｉｔ適合継手は、雌ＥＮＦｉｔ適合継手と係合するように構成される。例示的な実施形態では、雌ＥＮＦｉｔ適合継手は、雄ＥＮＦｉｔ適合継手の導管の一部内で延長する用量制御継手をさらに含む。例示的な実施形態では、傾斜面の少なくとも一部は、テクスチャ加工された疎水性または疎油性の表面を含む。
【００２３】
本発明の例示的な実施形態のこれら及び他の態様、特徴、及び利点は、図面及び詳細な説明を参照して理解され、添付の特許請求の範囲で特に指摘される様々な要素及び組み合わせによって実現される。前述の一般的な説明及び以下の図面の簡単な説明と、本発明の詳細な説明との両方は、本発明の好ましい実施形態の例示及び説明であり、特許請求されるように、本発明を限定するものではないことを理解されたい。
【図面の簡単な説明】
【００２４】
【図１】本発明の例示的な実施形態によるボトルアダプタコネクタを示す。
【図２】ボトルアダプタコネクタの雄ポートに連結されたシリンジを含む、図１のボトルアダプタコネクタを示す。
【図３】図２のボトルアダプタと、雄ポートとの係合から取り外されたシリンジの端部を示す。
【図４】図３のシリンジのボトルアダプタ及び端部継手を示し、用量制御継手を備え、かつボトルアダプタコネクタの雄ポートとの嵌合に適合したシリンジの端部継手を示す。
【図５】可撓性を有するフロア面を有するボトルアダプタコネクタの一連の動作を示し、コネクタの上でキャップを閉じると、雄ポートが後退し、キャップの内面とのシール係合が生じることを示す図の１つである。
【図６】可撓性を有するフロア面を有するボトルアダプタコネクタの一連の動作を示し、コネクタの上でキャップを閉じると、雄ポートが後退し、キャップの内面とのシール係合が生じることを示す図の１つである。
【図７】本発明の別の例示的な実施形態によるボトルアダプタコネクタを示し、シリンジの端部継手と係合するために雄ポートの周りに巻き付けられたシリコーンスリーブを示す。
【図８】線８−８に沿って得られた図７の断面図を示す。
【図９】図８の断面図を示し、シリコーンスリーブが変位してシリンジ端部継手とボトルアダプタコネクタの雄継手との間の流体の流れを可能にするように雄ポートと係合するシリンジの端部継手を示す。
【図１０】本発明の別の例示的な実施形態によるボトルアダプタコネクタを示し、コネクタの雄ポートと係合するつながれたキャップを備えたボトルアダプタを示す。
【図１１】図１０のコネクタの断面図の斜視図を示す。
【図１２】図１０のボトルアダプタコネクタ及びつながれたキャップの一連の動作を示す図の１つであり、開放構成と閉鎖構成すなわちキャップ付き構成との間で移動するように、一般に、コネクタにヒンジ接続されているキャップを示す。
【図１３】図１０のボトルアダプタコネクタ及びつながれたキャップの一連の動作を示す図の１つであり、開放構成と閉鎖構成すなわちキャップ付き構成との間で移動するように、一般に、コネクタにヒンジ接続されているキャップを示す。
【図１４】本発明の別の例示的な実施形態によるボトルアダプタ移送コネクタの斜視図であり、ボトルアダプタ移送コネクタの一部と係合するボトルアダプタコネクタを示す。
【図１５】図１４に示されるボトルアダプタコネクタの一部に結合されたボトルアダプタ移送コネクタの斜視断面図を示す。
【図１６】図１５のボトルアダプタ移送コネクタの断面図を示す。
【図１７】本発明の別の例示的な実施形態による流体移送蓋の斜視図を示す。
【図１８】図１７の流体移送蓋の背面斜視図を示す。
【図１９】本発明の別の例示的な実施形態による流体移送蓋の斜視図を示す。
【図２０】図１９の流体移送蓋の背面斜視図を示す。
【図２１】本発明の別の例示的な実施形態による流体移送用のアダプタを示し、流体移送アダプタは、従来の経腸専用ポート付き圧入ボトルアダプタ及び経腸専用段付きボトルアダプタの両方との取り外し可能な係合に適合している。
【図２２】本発明の別の例示的な実施形態による流体移送用のアダプタを示し、流体移送アダプタは、従来の経腸専用ポート付き圧入ボトルアダプタ及び経腸専用段付きボトルアダプタの両方との取り外し可能な係合に適合している。
【図２３】図２１−２２の流体移送用のアダプタの第１の側面の斜視図を示す。
【図２４】図２３の流体移送用のアダプタの第２の側面を示す。
【図２５】図２５は、線２５−２５に沿って得られた図２３の流体移送用のアダプタの断面図を示す。
【図２６】本発明の別の例示的な実施形態による流体移送用のアダプタの断面図を示す。
【図２７】本発明の別の例示的な実施形態による流体移送用のアダプタの断面図を示す。
【図２８】本発明の別の例示的な実施形態による流体移送用のアダプタの断面図を示す。
【図２９】本発明の別の例示的な実施形態による流体移送用のアダプタの断面図を示す。
【図３０】本発明の別の例示的な実施形態によるボトルアダプタコネクタの平面図を示す。
【図３１】線３１−３１に沿った図３０のボトルアダプタコネクタの断面図を示す。
【図３２】ボトルの口内に挿入され、その継手にシリンジが接続された、図３１のボトルアダプタコネクタの断面図を示す。
【図３３】図３１のボトルアダプタコネクタの斜視図を示し、少なくともその一部に設けられたテクスチャ加工された表面を示している。
【図３４】本発明の別の例示的な実施形態によるボトルアダプタコネクタの断面図を示す。
【発明を実施するための形態】
【００２５】
本発明は、本開示の一部を形成する添付の図面に関連して行われる本発明の以下の詳細な説明を参照することによって、より容易に理解され得る。本発明は、本明細書で説明及び／または図示される特定のデバイス、方法、条件またはパラメータに限定されず、本明細書で使用される用語は、単なる例示として特定の実施形態を説明するためのものであり、特許請求された発明を限定することを意図するものではないことを理解されたい。本明細書で特定されるすべての特許及び他の刊行物は、本明細書に完全に記載されるように、参照により組み込まれる。
【００２６】
また、添付の特許請求の範囲を含む本明細書で使用されるように、単数形「ａ」、「ａｎ」、及び「ｔｈｅ」は複数形を含み、特定の数値への言及は、文脈上明確に指示されていない限り、少なくともその特定の値を含む。本明細書では、範囲は、「約」または「およそ」１つの特定の値から、及び／または、「約」または「およそ」別の特定の値までとして表され得る。そのような範囲が表される場合、別の実施形態は、ある特定の値から、及び／または、他の特定の値までを含む。同様に、先行詞「約」を使用して値が近似値として表される場合、特定の値が別の実施形態を形成することが理解されよう。
【００２７】
ここで図面を参照すると、同様の参照符号は複数の図を通して対応する部分を表し、図１〜３４は、容器または薬瓶からシリンジＳへ、または、例えばシリンジＳからボトルへの流体または薬剤の移送を提供するための流体移送コネクタ及びアダプタの、いくつかの例示的な実施形態を示す。他の例示的な実施形態によれば、本発明の流体移送コネクタ及びアダプタは、シリンジＳの端部コネクタＦＣと従来の経腸専用ポート付き圧入ボトルアダプタ、または、例えば経腸専用ポートを有する段付きアダプタとの間の係合を提供するように構成される。
【００２８】
例示的な実施形態によれば、本発明の流体移送コネクタは、ＥＮＦｉｔ適合コネクタを含み、例えば、参照により本明細書に組み込まれるＥＮＦｉｔ設計標準ＩＳＯ  ８０３６９−３にしたがって、ＥＮＦｉｔコネクタと継手によって係合するように構成される。好ましくは、流体移送コネクタは、例えば、開口部のサイズの異なる容器またはボトルとの結合に適応するように、所望のサイズにすることができる。本発明のいくつかの例示的な実施形態によれば、流体移送コネクタは、例えば、経腸専用コネクタ及びＥＮＦｉｔ適合コネクタと適合可能な継手による係合を提供するために、経腸専用コネクタとＥＮＦｉｔ適合コネクタとの両方を含む。好ましくは、本明細書に記載の流体移送コネクタはいずれも、必要に応じて、経腸専用コネクタ及びＥＮＦｉｔ適合コネクタの両方を含むことができる。
【００２９】
図１‐４は、本発明の例示的な実施形態によるボトルアダプタコネクタ１０を示す。例示的な実施形態では、ボトルアダプタコネクタ１０は、複数の外周フランジ（フランジ１４）またはステップを画定する外周面１３を有する円筒形の本体部１２を含む。例示的な実施形態では、フランジ１４またはステップは、好ましくは、可撓性を有し、弾性を有し、所望のサイズのボトル開口部と係合するサイズである。例えば、例示的な実施形態によれば、ボトルアダプタコネクタ１０は、例えば、外周面１３に沿ったフランジ１４またはステップが、一般に、ボトルの開口部、例えば、薬瓶の開口部と摩擦係合するように、「圧入」アダプタの形態である。例示的な形態では、医療行為において最も頻繁に使用される、一般的に使われるボトルは、約２〜１６オンスの範囲であり、ボトルの開口部は、一般に、その容量によって異なる。例示的な実施形態では、ボトルアダプタコネクタ１０は所望のサイズにされ得るが、少なくとも、医療行為で最も頻繁に使用されるボトルサイズ（及びその開口部）に適合するサイズ、例えば、直径Ｄ１が、約１０〜４０ミリメートル、一実施形態例によれば約１２〜３８ミリメートルで提供される（図１及び図５を参照）。例示的な実施形態では、ボトルの開口部またはその内径は、一般に、約１２〜３３ミリメートルである。例示的な実施形態では、フランジ１４は一般に、横方向に互いにオフセットされ、本体部全体の周りに延在して、ボトルまたは容器の内面または開口部との摩擦及びシール係合を提供する連続的なフランジを画定する。例示的な実施形態では、フランジ１４は横方向にオフセットされ、ボトルアダプタコネクタ１０の長さ、または高さＨに沿って、例えば、本体部の上面１５ａと、下面１５ｂとの間に延在する。例示的な一実施形態によれば、フランジ１４は、ボトルアダプタコネクタ１０がアダプタコネクタの直径に対して最大約４〜５ミリメートルの差の内径範囲を有するボトル開口部と係合できるように、弾性及び可撓性を有する。例えば、ボトル開口部の内径が約１２ミリメートルである場合、ボトルアダプタコネクタ１０の直径Ｄ１は最大約１７ミリメートルであり、それでもボトル開口部との嵌合及びシール係合を提供することができる。
【００３０】
例示的な実施形態では、ボトルアダプタコネクタ１０は、本体部１２の内周面１８、ベース部材またはフロア２０、及び、一般的にフロア２０の略中央に位置し、上面１５ａに向かって延びる雄継手によって画定される凹部１６を有する。例示的な実施形態では、中央導管（導管２４）は、フロア２０の略中央に位置し、本体部１２と軸方向に整列した細長い軸Ｙに沿って雄継手２２を完全に貫通して延びる。例示的な実施形態では、シリンジＳの端部継手ＦＣは、雄継手２２との取り外し可能な係合に適合しており、例えば、シリンジがボトルアダプタコネクタ１０に結合することにより、シリンジＳと薬瓶との間で、薬瓶からシリンジへ、またはシリンジから薬瓶への流体または薬剤の移送を可能にする。例示的な実施形態では、雄継手２２は雄ＥＮＦｉｔ適合継手を含むことができ、端部継手ＦＣは雌ＥＮＦｉｔ適合継手を含むことができる。いくつかの例示的な実施形態によれば、シリンジＳは、例えば、端部継手ＦＣが雄継手２２と結合するときに導管２４内に嵌合するのに適合する用量制御継手または低用量チップＬＴを備えることができ、これにより、投与用量の不正確さが、完全ではなくとも実質的に排除されることが好ましい（図４を参照）。米国特許出願公開第１５／２１０，２８２号、米国特許出願公開第ＵＳ２０１６／０３１７３９３号は、用量制御継手を備えたシリンジを示し、その全体が、あらゆる目的のために参照により本明細書に組み込まれる。
【００３１】
図５−６は、本発明の別の例示的な実施形態によるボトルアダプタコネクタ１００を示す。例示的な実施形態では、ボトルアダプタコネクタ１００は、上述のボトルアダプタコネクタ１０と略同様であり、複数の外周フランジまたはステップ１１４を含む外側カラー本体部と、フロア面１２０、フロア面１２０の中央に位置してフロア面１２０から延在する雄継手１２２、及び、雄継手１２２を貫通して伸びる中央導管（導管１２４）によって画定される凹部１１６とを有する。例示的な実施形態によれば、雄継手１２２は、フロア面１２０から、フランジまたはステップ１１４を備えた外周面１１３を有する本体部１１２の上面１１５ａの上方に距離Ｘだけ延びる。例示的な実施形態では、距離Ｘは、一般に、約０．５〜６ミリメートルである。図６に示すように、ボトルアダプタコネクタ１００の上部の蓋またはキャップＬを閉じると、例えば、キャップＬの表面が雄継手１２２の端部と係合し、雄継手１２２が凹部１１６内で軸Ｙに沿って略軸方向に変位する。例示的な実施形態では、フロア面１２０は、雄継手１２２の軸方向変位を可能にするために、少なくとも部分的に弾性及び可撓性を有していることが好ましい。したがって、本発明の例示的な実施形態によれば、フロア面１２０は、雄継手１２２が中間状態にあるときと、キャップＬがボトルに固定されて雄継手１２２の変位を引き起こすときとの間に、少なくともある程度の弾性変形を受ける。凹部１１６内で雄継手を変位させることによって、例えば、キャップＬがボトルに結合され、雄継手１２２の端部が、キャップＬの表面とシール状態で係合している場合、キャップＬがボトルに結合されると、ボトル内の流体または薬剤の、導管１２４の通過が防止されることが好ましい。例示的な実施形態では、キャップＬは、いたずら防止の、すなわちチャイルドレジスタントの蓋を備えることができる。代替的に、雄継手１２２の端部は、例えば、カラー本体部の上部よりも下方に凹んでいるか、またはカラー本体部の端部と略同一の高さ、すなわち同一平面であるように、所望に応じて構成することができる。任意選択で、一方向または双方向シールを導管１２４の少なくとも一部内に提供して、例えば、使用していないときに導管１２４内にシールを提供し、使用中の流体の機能性及び移送を可能にすることができる。例示的な一実施形態では、シールは、雄継手１２２の上部の後方の導管に設けられる。任意選択で、シールは、フロア面１２０に近い導管１２４に設けられる。さらに任意選択で、シールは、雄継手１２２の端部間の導管１２４に設けられる。
【００３２】
例示的な実施形態では、フロア面１２０は、雄継手１２２がキャップＬと係合したときに軸方向に移動できるように、少なくともある程度の屈曲性または弾性を提供するように構成することができる。いくつかの例示的な実施形態では、フロア面１２０は、ボトルアダプタコネクタ１００の他の部分に対して実質的に薄くすることができ、または、少なくともある程度の変位を可能にする１以上の可撓性及び弾性を有する材料から形成することができる。例示的な一実施形態によれば、フロア面１２０は、ボトルアダプタコネクタ１００の残りの部分を形成する材料とは異なる材料から形成することができる。例えば、いくつかの例示的な実施形態では、フロア面１２０がボトルアダプタコネクタ１００の他の構成要素または特徴と比較してより大きな可撓性及び弾性を示すように、フロア面１２０は共成形されてもよく、または２以上の材料の混合物を含んでいてもよい。
【００３３】
図７−９は、本発明の別の例示的な実施形態によるボトルアダプタコネクタ２００を示す。例示的な実施形態では、ボトルアダプタコネクタ２００は、上述のボトルアダプタコネクタ１０、１００と略同様であり、複数の外周フランジまたはステップ２１４を有する外周面２１３と、フロア面２２０、中央に位置してフロア面２２０から延びる雄継手２２２、及び雄継手２２２を完全に貫通して延びる中央導管（導管２２４）によって画定される凹部２１６とを備える。例示的な実施形態では、ボトルアダプタコネクタ２００は、略中央に位置し、雄継手２２２を囲む外側カラー２２６をさらに含む。例示的な実施形態では、例えば、雄継手２２２の周囲かつ外側カラー２２６内にそれ自体を嵌め込むことによって、雄継手２２２の導管２２４を要素から実質的にシールするためのシール機構２２８が設けられることが好ましい。例示的な実施形態では、シール機構は、雄継手２２２を受け入れるための第１の開放端を備えた、実質的に円筒形の、実質的に弾性のグロメットまたはスリーブ２３０を含み、それによって、カラーは、外側カラー２２６と雄継手２２２との間に画定された凹部内に嵌合される。例示的な実施形態では、スリーブ２３０は、例えば、実質的に小さい中央開口部２３２を除いて実質的に閉じている第２の開放端を備え、中央開口部２３２は、一実施形態によれば、約０．１０〜１．５ミリメートル、例えば約０．５０ミリメートルのサイズの開口部を一般に画定する。
【００３４】
図８−９に示されるように、シリンジＳの端部継手ＦＣと雄継手２２２との係合は、スリーブ２３０の変形を引き起こし、例えば、スリーブ２３０は一般的に、変形して凹部内で変位し、端部継手ＦＣと雄継手２２２との間に流体連通が提供される（例えば、雄継手が端部継手ＦＣ内に受け入れられる）。図９に示すように、中央開口部２３２は実質的に可撓性及び弾性を有し、スリーブ２３０の全体が雄継手２２２の端部を越えて通過し、導管２２４と端部継手ＦＣとの連通を可能にする。端部継手ＦＣを引き戻すと、スリーブ２３０が膨張してその中間状態に戻り、スリーブが要素から導管２２４を実質的にシールすることが好ましい。例示的な実施形態では、スリーブ２３０は、シリコーンまたは他の弾性かつ実質的に変形可能な材料（またはそれらの組み合わせ）から形成される。したがって、ボトルアダプタコネクタ２００がボトル開口部内に嵌め込まれると、スリーブ２３０は、雄継手２２２の導管２２４を実質的にシールし、ボトル内の流体または薬剤が要素に曝されないようにすることが好ましい。そして、クロージャまたは他のシールを除去する追加のステップなしで、ボトルとシリンジＳとの間で流体を移送することが望まれる場合、端部継手ＦＣはスリーブ２３０の上に押し込まれ、スリーブ２３０がその中に引き込むように変形して、端部継手ＦＣと係合する雄継手２２２を露出させる。さらに、ボトルアダプタコネクタ２００が内部に嵌合されたボトルの開口部にキャップＬが結合されると、キャップの一部（例えば、内面）がスリーブ２３０と係合して、スリーブ２３０に力を加えることができる。
【００３５】
図１０−１３は、本発明の別の例示的な実施形態によるコネクタ３００を示す。例示的な実施形態では、コネクタ３００は、上述のボトルアダプタコネクタ１０、１００、２００と略同様であり、複数の外周フランジ３１４またはステップを備えた外周面３１３を有する本体部３１２と、フロア面３２０、中央に位置してフロア面３２０から延びる雄継手３２２、及び雄継手２２２を完全に貫通する中央導管（導管３２４）を画定する凹部３１６とを含む。例示的な実施形態によれば、コネクタは、開放構成（図１２を参照）と閉鎖構成（図１３を参照）との間で枢動するコネクタ３００の一部にヒンジ式に取り付けられたキャップまたはクロージャ３２６を有する。例示的な実施形態では、クロージャ３２６は、外側カラー３３０、中央プラグ（雄継手３２２）、及び、クロージャ３２６をコネクタ３００の一部に接続するテザー３３４を有する。例示的な実施形態では、テザー３３４は、クロージャ３２６をコネクタ３００に一体的に結合する。任意選択で、テザーは、コネクタ３００に取り外し可能に結合することができる。
【００３６】
例示的な実施形態では、テザー３３４は、外周フランジ３１４の近くの本体部１２の上部から外向きに延びる。テザー３３４は、それに連結されたクロージャ３２６が開放構成と閉鎖構成との間で枢動できるように、一体ヒンジを有することが好ましい。例示的な実施形態では、一体ヒンジは、実質的に可撓性かつ弾性であり、クロージャ３２６が少なくとも約１８０度枢動することを可能にする。例示的な実施形態では、雄継手３２２は、上述のように雄継手よりも実質的に短く、例えば、キャップＬは、クロージャ３２６が閉鎖構成にあり、雄継手３２２でシールされた状態でボトルに嵌合及び結合できる。したがって、本発明の例示的な一実施形態によれば、クロージャ３２６は、閉鎖構成で雄継手３２２とシール係合するとき（例えば、導管３２４内に嵌合する中央プラグ３３２及び雄継手３２２を囲む外側カラー３３０によって）、一般に、例えば、キャップＬのボトルとの継手による係合を可能にするために、外側カラー本体部の上部と少なくとも略面一である。図１３に示すように、テザー３３４（及びそのヒンジ）は、一般に、外周フランジ３１４の最外面と略同心になるように構成される。任意選択で、テザー及びヒンジは、所望のサイズにすることができ、例えば、閉鎖位置では、ヒンジは、フランジの最も外側の表面から内側にずれたままであり、係合時に、ボトル開口部の表面とは係合しない。
【００３７】
図１４−１６は、本発明の別の例示的な実施形態によるボトルアダプタ移送用のコネクタ４００を示す。例示的な実施形態では、コネクタ４００は、シリンジＳと薬瓶との間の流体の移送を提供し、例えば、段付きボトルアダプタＳＡは、瓶の開口部と係合するように構成され、コネクタ４００は、コネクタ４００に取り外し可能に結合し、シリンジＳの端部コネクタＦＣとの継手による係合を容易にする。例示的な実施形態では、コネクタ４００は、円筒形のキャップ４１２と、キャップ４１２から略垂直に延在するカラー４１４と、中央に位置してキャップ４１２から第１の方向に延びる雄継手４１６と、雄継手４１６と軸方向に整列し、第２の方向に延びる係合ポート４２０を備える。例示的な実施形態では、導管は、例えば、流体が通って流れることができるように、雄継手及び係合ポートを完全に貫通して延びる。例示的な実施形態では、係合ポート４２０は、段付きボトルアダプタＳＡのポートまたは導管と係合することができる表面特徴を提供することが好ましい、とげのある特徴４２４を有する（図１５を参照）。例示的な実施形態では、カラー４１４は、段付きボトルアダプタＳＡの上部外周部分の周囲に嵌合するようなサイズ及び形状であることが好ましい。例示的な実施形態では、雄継手４１６は、雄ＥＮＦｉｔ適合継手を含む。例示的な実施形態では、係合ポート４２０は、段付きボトルアダプタＳＡの導管との十分な摩擦係合を提供するようなサイズであることが好ましい。例示的な実施形態では、段付きボトルアダプタＳＡの導管は、一般に、雄経腸専用継手と適合するようなサイズである。
【００３８】
例示的な実施形態では、要素から導管４２２をシールするためのクロージャ４３０を設けることができる。例示的な実施形態では、クロージャ４３０は、外側カラー部材４３２と、導管４２２と摩擦係合するように構成された中央プラグとを有する。例示的な実施形態では、クロージャ４３０はコネクタ４００につながれ、例えば、テザー４３６は一般に可撓性及び弾力性を有し、クロージャ４３０を開放構成または閉鎖構成のいずれかで配置することができる。
【００３９】
図１７−１８は、本発明の別の例示的な実施形態による移送蓋５００を示す。例示的な実施形態では、移送蓋５００は、容器内に含まれる流体または薬剤を容器から引き出すか移送してシリンジＳに入れられるように、ボトルまたは容器に取り外し可能に取り付けられるように構成される。移送蓋５００は、複数の接続部品または継手、例えば、経腸専用コネクタ及びＥＮＦｉｔ適合コネクタの両方であることが好ましい。例示的な実施形態では、移送蓋５００は、上部パネル５１０から第１の方向すなわち遠位方向に外向きに延びる第１の移送ポート５１２及び第２の移送ポート５１６を備えた略円形の上部パネル５１０を有する。例示的な実施形態では、第１の移送ポート５１２は導管５１４を備え、第２の移送ポート５１６は導管５２０を備える。例示的な実施形態では、第１の移送ポート５１２は雄ＥＮＦｉｔ適合コネクタを含み、第２の移送ポート５１６は経腸専用コネクタを含む。
【００４０】
取り付けカラー５２２は、上部パネル５１０から第２の方向すなわち近位方向に延在し、その内周面は、容器の格納シェルの上部の対応するねじに解放可能に係合するようにねじが切られている。移送蓋５００の取り付けカラー５２２の外周面は、任意選択で、容器の格納シェルへの移送蓋５００の取り付け及び取り外し時にユーザを支援するために、間隔のあいたインテンション、リッジ、凹部、または他の把持特徴５２４を有する。任意選択で、クロージャ５４０は、第１の移送ポート５１２及び第２の移送ポート５１６によるシールのために提供される。例示的な実施形態では、クロージャ５４０の１つ（例えば、第１の移送ポート５１２でシールする）は、フランジまたはリップ５４４、プラグ（図示せず）、外側カラーまたはリップ５４６、及びテザー５４７を有する第１のクロージャ５４２を含む。同様に、第２の移送ポート５１６とシール係合するための第２のクロージャ５５０が設けられている。例示的な実施形態では、第２のクロージャ５５０は、フランジまたはリップ５５２、プラグ５５４、及びデザー５５６を備える。例示的な実施形態では、クロージャ５４０は、例えば、それらの一方が閉位置にあり、移送ポートの一方と係合することができるが、他方が開位置にあり、移送ポートの他方にシリンジの端部コネクタが取り外し可能に取り付けられるように、互いに独立して使用することができる。
【００４１】
図１９−２０は、本発明の別の例示的な実施形態による移送蓋６００を示す。例示的な実施形態では、移送蓋６００は、ボトルまたは容器に取り外し可能に取り付けられるように同様に構成され、容器内に含まれる流体または薬剤をそこから引き出すか、または移送して、シリンジＳに入れることができる。移送蓋５００は、例えば、経腸専用コネクタ及びＥＮＦｉｔ適合コネクタの両方などの、複数の接続部品または継手と互換性があることが好ましい。例示的な実施形態では、移送蓋６００は、略円形の上部パネル６１０を備え、移送ポート６１２は、上部パネル６１０から第１の方向すなわち遠位方向に外向きに延びている。例示的な実施形態では、移送ポート６１２は、移送ポート６１２を完全に貫通する導管６１４を含む。例示的な実施形態では、移送ポート６１２は、経腸専用コネクタ、例えば一実施形態による雌経腸専用コネクタを含む。取り付けカラー６１６は、上部パネル６１０から第２の方向すなわち近位方向に延在し、その内周面は、容器またはボトルの格納シェルの上部の対応するねじに解放可能に係合するようにねじが切られている。移送蓋６００の取り付けカラー６１６の外周面は、任意選択で、容器の格納シェルへの移送蓋６００の取り付け及び取り外し時にユーザを支援するために、間隔のあいたインテンション、リッジ、凹部、または他の把持特徴６２０を有する。
【００４２】
例示的な実施形態では、アダプタ６３０及びクロージャ６４２に移送蓋６００を設けることができる。例えば、例示的な実施形態によれば、アダプタ６３０は、中央フランジ部材６３２と、第１コネクタ６３４と、第２コネクタ６３６と、第１コネクタ６３４、第２コネクタ６３６を貫通して延びる導管６４０とを有する。クロージャ６４２は、フランジまたはリップ６４４、プラグ６４６、及び外側カラーまたはリップ６５０を有する。例示的な実施形態では、テザーは、一般に、アダプタ６３０及びクロージャ６４２を移送蓋６００と接続する。例えば、例示的な一実施形態によれば、移送蓋６００をアダプタ６３０に接続するための第１のテザー６５２が提供され、アダプタ６３０をクロージャ６４２に接続するための第２のテザー６５４が提供される。使用時には、移送蓋６００は、ボトルとシリンジとの間の流体の移送を容易にするためにボトルに固定することができる。シリンジが雄経腸専用端部継手を備える場合、移送ポート６１２を利用して、それらの間の流体の移送を容易にすることができる。シリンジＳがＥＮＦｉｔ適合継手を含む場合、アダプタ６３０は、例えば、第１コネクタ６３４が移送ポート６１２と結合され、第２コネクタ６３６がシリンジのＥＮＦｉｔ適合継手と結合されるように、移送ポート６１２と接続される。
【００４３】
したがって、つながれたアダプタ６３０により、移送蓋６００は、経腸専用コネクタとＥＮＦｉｔ適合コネクタとの両方を収容する。したがって、例示的な一実施形態によれば、本発明は、雌経腸専用継手を備え、かつ、経腸専用コネクタ及びＥＮＦｉｔ適合コネクタの両方を収容できるように、つながれたアダプタを備えた移送蓋に関する。このように、移送蓋５００、６００は、経腸専用継手またはＥＮＦｉｔ適合継手のいずれかを有するコネクタまたはシリンジを嵌合させることによって、ボトルとシリンジとの間の流体の移送を容易にすることができる複数の継手を提供することが好ましい。
【００４４】
図２１−２５は、本発明の別の例示的な実施形態による流体移送用のアダプタ７００を示す。図示のように、流体移送用のアダプタ７００は、第１端部７１２と第２端部７１４とを含むフランジまたはディスク状の本体部７１０を含む。ディスク状の本体部７１０は、第１の継手７２２を画定する第１の面７２０と、第２の継手７２６を備える第２の面７２４とを有する。導管７３０は、第１端部７１２から第２端部７１４まで、継手７２２、７２６を完全に貫通して延びている。例示的な実施形態では、第１の継手７２２は、一般に、本体部の中央に位置し、第１端部７１２に向かって延び、第２の継手７２６は、一般に、第１の継手７２２と軸方向に整列し、第２端部７１４に向かって延びる。例示的な実施形態では、第１の継手７２２は、雄ＥＮＦｉｔ適合継手を含み、第２の継手７２６は、雄経腸専用継手を含む。
【００４５】
図２１−２２に示すように、流体移送用のアダプタ７００は、従来の「圧入」ボトルアダプタＰＡと、段付きボトルアダプタＳＡとの両方で使用できることが好ましい。例えば、従来のボトルアダプタは一般に経腸専用継手を備えるため、第２の継手７２６は、ボトルアダプタＰＡ、ＳＡの経腸専用継手と係合するように構成されるが、第１の継手７２２は、例えばシリンジＳの雌ＥＮＦｉｔ適合継手ＦＣなどのＥＮＦｉｔ適合継手との係合を提供するように構成された雄ＥＮＦｉｔ適合継手である。例示的な形態では、ＥＮＦｉｔ適合雄コネクタを、スリップ／摩擦嵌合の接続用に構成することができるか、または、シリンジの雌ＥＮＦｉｔ適合コネクタの一部、例えば、雌ＥＮＦｉｔ適合コネクタの１以上のリブまたはネジとの永続的／取り外し可能な係合のための１以上の継手要素を含むことができる。別の例示的な実施形態では、雄ＥＮＦｉｔ適合コネクタは、他の継手または係合特徴、例えば、１以上の可撓性クリップまたは他の継手を含むことができ、これにより、雄ＥＮＦｉｔコネクタとシリンジの雌ＥＮＦｉｔコネクタとの間に永続的または取り外し可能な係合を提供することができる。
【００４６】
例示的な実施形態では、ディスク状の本体部７１０は、流体移送用のアダプタまたはその任意の部分が、例えば幼児に窒息の危険をもたらすことを防ぐようなサイズ及び構成であることが好ましい。例示的な実施形態では、フランジを有する流体移送用のアダプタは、少なくとも約２．２５インチ×少なくとも約１．２５インチの最小寸法を有するか、そうでなければ、流体移送用のアダプタは、３７ＣＦＲに準拠した２．２５インチ×１．２５インチのチョーク試験シリンダを通過するのを防ぐようなサイズ及び構成である。例示的な一実施形態によれば、フランジは、少なくとも約２．２５インチ、例えば２．５インチまたは３インチの直径Ｄ２を有する円形ディスクを備える。代替実施形態では、フランジは、正方形、矩形、多角形、楕円形、または他の形状の構成を有していてもよく、及び／または上記の特定の寸法、例えば１．５インチ、４インチなどより大きくてもよく、小さくてもよい。任意選択で、１以上の開口部は、必要に応じて本体部の１以上の部分に形成することができる。例示的な実施形態では、本体部の少なくとも一部は、例えば、アダプタをボトルアダプタ及びシリンジに接続する場合、または、例えば、シリンジまたはボトルアダプタのいずれかからアダプタを外す必要がある場合、その把持を容易にするための把持面または特徴を提供するように形作られる。本発明の別の例示的な実施形態によれば、アダプタの雄ＥＮＦｉｔ適合コネクタは、例えば、雄ＥＮＦｉｔ適合コネクタを備えるシリンジが薬瓶のアダプタに接続できるように、雌ＥＮＦｉｔ適合コネクタに置き換えられる。
【００４７】
図２５に示されるように、ディスク状の本体部７１０は、実質的に均一であり、実質的に丸みを帯びた外周部を備え、例えば、ディスク状本体部の上面と下面との間に略均一な丸みを帯びた縁部が画定され、面７２０、７２４の間に実質的に滑らかな移行部が設けられる。例示的な一実施形態によれば、本体部７１０の外径Ｄ２は、少なくとも約２．２５インチであり、上面（面７２０）と下面（面７２４）との間に画定される厚さＴ１は、約１〜１０ミリメートルであり、例えば、いくつかの例示的な実施形態によれば、約２〜８ミリメートルである。図示の特定の実施形態では、厚さＴ１は約２ミリメートルである。以下に説明するように、アダプタの少なくとも外周部分の厚さは、必要に応じて２ミリメートルより大きくてもよく、小さくてもよい。
【００４８】
図２６−２９は、本発明の追加の例示的実施形態による複数の流体移送用のアダプタ８００、９００、１０００、１１００を示す。例示的な実施形態では、アダプタ８００、９００、１０００、及び１１００のそれぞれの外周は、流体移送用のアダプタ７００の実質的に丸みを帯びた外周７３２に対して変更されている。図２６に示すように、丸みを帯びた外周８３２はさらに、第２端部８１４に向かって延び、それによってその中に凹部８３６を画定する外側リム延長部８３４を有する。例示的な実施形態では、厚さＴ２は約３〜５ミリメートルである。１つの例示的な形態によれば、凹部８３６は、段付きコネクタの大きな結合端部を受容する大きさである（図２２を参照）。図２７は、例えば、外側リム延長部９３４及び凹部９３６を有する同様のアダプタ９００を示す。一実施形態例によれば、１以上の開口部９４０を本体部９１０に形成することができる。厚さＴ３は約２〜５ミリメートルである。例示的な一実施形態によれば、開口部は略円筒形である。任意選択で、開口部を、放射状及び／または直線状の配列に沿って互いに離間して配置することができ、必要に応じてサイズ決め及び成形することができる。
【００４９】
１つの例示的な実施形態によれば、５つの略円筒形の開口部の円形配列は、本体部全体にわたって延在する。例示的な実施形態では、開口部は実質的に均一であり（例えば、概して同一のサイズであり、等間隔で離間している）、各開口部を画定する縁部は、本体部の表面間に滑らかな移行部を設けるべく丸みを帯びている。別の例示的な実施形態によれば、本体部は、複数の開口部、例えば、円形開口部の外側アレイ及び内側アレイを画定することができる。例示的な実施形態によれば、外側アレイは約１２個の開口部を有し、内側アレイは約１２個の開口部を有する。例示的な実施形態では、外側アレイ及び内側アレイの開口部は両方とも略円形の形状であり、外側アレイの開口部は、内側アレイの開口部よりも実質的に大きい。別の実施形態では、ディスク状本体部は、ディスク状本体部の少なくとも一部を貫通して形成された開口部のマトリックスを含むことができる。例えば、ディスク状本体部は、本体部を貫通して形成された正方形の開口部のマトリックスを含むことができる。任意選択で、開口部は所望のように形作ることができる。本発明の例示的な実施形態によれば、例えばユーザが本体部を容易に把持して操作することができるように、開口部は、強化された把持面を提供する。
【００５０】
図２８は、例えば、それぞれの端部１０１２、１０１４に向かって反対側に延びる外側リム延長部１０３４を備えた、Ｔ字形の断面形状を有する外周部を有するアダプタ１０００を示す。１つの例示的な実施形態によれば、厚さＴ４は、約３〜８ミリメートルである。図２９は、本発明の別の例示的な実施形態によるアダプタ１１００を示す。図示のように、本体部１１１０は、丸みを帯びた外周部１１３２と、凹部１０３６とを有する。１つの例示的な実施形態によれば、丸みを帯びた外周部１１３２は、第１の表面１１２０及び第２の表面１１２４上に少なくとも部分的に突出し、約１〜４ミリメートルの厚さＴ５を画定する。例示的な一実施形態によれば、少なくとも部分的に隆起した丸みを帯びた外周部１１３２は、把持機能をもたらす。
【００５１】
図３０〜３２は、本発明の別の例示的な実施形態によるボトルアダプタコネクタ１２００を示す。例示的な実施形態では、ボトルアダプタコネクタ１２００は、上記のボトルアダプタコネクタ１０と概して類似している。例示的な実施形態では、ボトルアダプタコネクタ１２００は、第１端部から第２端部まで延在し、外周部１２１３を画定する略円筒形の本体部１２１２を備え、外周部１２１３は、複数の外周フランジ（フランジ１２１４）またはステップと、フランジまたはシェルフ１２１６とを画定する。フランジ１２１４またはステップは、可撓性及び弾性を有し、所望のサイズのボトル開口部と係合するサイズであることが好ましい。例えば、例示的な実施形態によれば、ボトルアダプタコネクタ１２００は、例えば、外周部１２１３に沿ったフランジ１２１４またはステップが、概して、例えば薬瓶の口または開口部などのボトルの開口部と摩擦係合するように、「圧入」アダプタの形態である（図３２を参照）。シェルフ１２１６は、例えばボトル開口部の端部との着座係合を提供するために、第１端部の略近傍で円筒形の本体部１２１２の外周部１２１３から外向きに延在する。したがって、シェルフ１２１６は、ボトル内へのボトルアダプタコネクタ１２００のさらなる挿入を防ぐ。さらに、シェルフ１２１６は、キャップまたはカバーをボトル開口部と接続可能のままにするサイズ及び形状であることが好ましく、キャップをボトル開口部に取り付けると、シェルフ１２１６により、一般に、ボトル開口部がシールされる。
【００５２】
例示的な実施形態では、上記のように、医療現場で最も頻繁に使用されている一般使用されるボトルは、約２〜１６オンスの範囲であり、ボトルの開口部は、一般に、その容量によって変化する。例示的な実施形態では、ボトルアダプタコネクタ１２００は所望のサイズであり得るが、少なくとも医療行為で最も頻繁に使用されているボトル（及びその開口部）のサイズに適合するサイズで提供され、例えば、円筒形本体部の直径Ｄ１は約１０〜４０ミリメートル、及び、１つの例示的な実施形態によれば約１２〜３８ミリメートルである（図３１を参照）。例示的な実施形態では、ボトルの開口部またはその内径は、一般に約１２〜３３ミリメートルである。例えば、例示的な一実施形態によれば、円筒形本体部の直径Ｄ１は、約１５ミリメートルである。別の実施形態例によれば、直径Ｄ１は、約１８ミリメートルである。
【００５３】
例示的な実施形態では、フランジ１２１４は、一般に、互いに横方向にオフセットされ、本体部全体の周囲に延在することにより、ボトルＢまたは容器の内面または開口部との摩擦係合及びシール係合を提供するための連続フランジを画定する。例示的な実施形態では、フランジ１２１４は、厚さＴ１を有し、概して、外周部１２１３から外向きに長さＬ１だけ延在し、フランジ１２１４は、概して、横方向にオフセットすなわち離間されることにより、フランジ間の長さＬ２を画定する。例示的な実施形態によれば、厚さＴ１は、１つの例示的な実施形態によれば、約０．１２５〜１ミリメートル、より好ましくは約０．５４ミリメートルであり、長さＬ１は、１つの例示的な実施形態によれば、約１〜４ミリメートル、より好ましくは約２．８ミリメートルであり、長さＬ２は、１つの例示的な実施形態によれば、約１．５〜５ミリメートル、より好ましくは約３．４１ミリメートルである。例示的な実施形態では、シェルフ１２１６は、厚さＴ２を有し、円筒形の本体部１２１２から外向きに延延在することにより、外径Ｄ３を画定する。例示的な実施形態では、厚さＴ２は、一般に、約０．３５〜１．７５ミリメートルであり、例えば、１つの例示的実施形態によれば、約１ミリメートルである。外径Ｄ３は、一般に、ボトルＢの開口部の外径と略同様の大きさである（図３２を参照）。例示的な一実施形態によれば、外径Ｄ３は、一般に、約１２〜４５ミリメートルである。１つの例示的な実施形態によれば、外径Ｄ３は約２１ミリメートルである。別の例示的な実施形態によれば、外径Ｄ３は約２４ミリメートルである。
【００５４】
例示的な実施形態では、ボトルアダプタコネクタ１２００は、円筒形の本体部１２１２の内周面１２２１、ベース部材またはフロア１２２６、及びフロア１２２６の略中央に位置した雄継手１２２２によって画定される環状凹部１２２０を有する。例示的な実施形態によれば、円筒形本体部は、約１０．４〜３９．８ミリメートル（例えば、内周面１２２１の両側から測る）、１つの例示的な実施形態例によれば約１１．４〜３４．６ミリメートルの内径Ｄ２を有する。別の例示的な実施形態によれば、円筒形の本体部１２１２の内径Ｄ２は、約１３〜１６．４ミリメートルである。高さＨ１は、シェルフ１２１６の下面と最上部のフランジ１２１４の上面との間に画定され、例えば、ボトルアダプタコネクタ１２００の全長または延長部を一般的に画定する。しかしながら、図３１に示すように、雄継手１２２２の端部は、一般に、シェルフ１２１６の下面を長さＬ４だけ越えて延び、最上部のフランジ１２１４は、一般に、第２端部から長さＬ３だけオフセットしている。例示的な実施形態では、長さＬ４は、例示的な一実施形態によれば、約０．１２５〜１．５ミリメートル、より好ましくは約１ミリメートルであり、長さＬ３は、例示的な一実施形態によれば、約０．１〜０．７５ミリメートル、より好ましくは約０．３５４ミリメートルである。別の例示的な実施形態によれば、雄継手１２２２は、シェルフ１２１６の下面と略面一であるか、または、例えば、シェルフ１２１６の下面より下に少なくとも部分的に凹んでいる。
【００５５】
上述のように、雄継手１２２２は、雌ＥＮＦｉｔ適合継手（図３２のＦＣを参照）との協働及びシール係合のための雄ＥＮＦｉｔ適合継手を含むことができる。いくつかの例示的な実施形態によれば、シリンジＳは、例えば、端部継手ＦＣが雄継手１２２２と結合されたときに導管１２２４内に嵌合するのに適した用量制御継手または低用量チップＬＴを備えることができ、これにより、投与用量の不正確さが、完全ではなくとも実質的に排除されることが好ましい（図４を参照）。米国特許出願公開第１５／２１０，２８２号、特許出願公開第ＵＳ２０１６／０３１７３９３号は、用量制御継手を含むシリンジを示し、これらの全体は、あらゆる目的のために参照により本明細書に組み込まれる。
【００５６】
例示的な実施形態では、ボトルアダプタコネクタ１２００のベース部（フロア１２２６）（例えば、ボトル開口部内に挿入された最も遠い部分）は、円筒形の本体部１２１２の外周部１２１３から雄ポート（雄継手１２２２）のルーメン（導管１２２４）まで概して延在する傾斜面１２３０を有する。例示的な実施形態では、傾斜面１２３０は、概して内向きに傾斜して、角度αを画定する。例示的な実施形態では、角度αは、一般に約０．５〜８９．５度であり、１つの例示的な実施形態によれば、例えば約３０度である。任意選択で、傾斜面１２３０に、所望に応じた角度を付けることができる。例えば、好ましい一実施形態によれば、角度αは約２４度である。別の好ましい実施形態によれば、角度αは約３６度である。例示的な実施形態では、ボトル内の流体のすべてではなくとも実質的な量が、ルーメン内を流れ、さらにシリンジＳの雌コネクタＦＣに導かれるように、傾斜面１２３０は、ルーメンに向かって内向きに略漏斗状である。したがって、ボトルアダプタコネクタ１２００は、ボトルＢからボトルアダプタコネクタ１２００のルーメンを通って、シリンジＳ内で流体を移送する間に、ボトルＢ内の実質的にすべての流体の引き出しを可能にすることが好ましい（図３２を参照）。
【００５７】
例示的な一実施形態によれば、ボトルから全体を引き出そうとした後にボトル内に残る流体は約０．０１４ｇであり、例えば、これは、既知のコネクタの使用時にボトル内に残る流体と比較して、その流体の約１％〜２０％である。したがって、傾斜面１２３０が、ボトルＢから流体全体を引き出すことが望まれる場合に、ボトルＢ内に流体が残る可能性を、完全に排除しなくとも低減することは好ましい。いくつかの例示的な実施形態によれば、図１〜１３に示されるボトルコネクタはいずれも同様に傾斜面を有することができ、これにより、ボトル内の流体の実質的にすべてを引き出すことができ、例えば、実質的にゼロの流体しか引き出されないことを防ぐ。１つの例示的な実施形態によれば、傾斜面は、実質的に線形の表面であり得、または、例えば、本発明のさらなる例示的な実施形態によれば、階段状または非線形の傾斜面であり得る。
【００５８】
いくつかの例示的な実施形態によれば、図３１を参照すると、
ベース部（フロア１２２６）は、雄コネクタ（雄継手１２２２）の導管１２２４から上向きかつ外向きに延在する傾斜面１２３０を備え、略先細り状のテーパ部１２３２は、例えば、ベース部の最上部に画定され、一般に、円筒形の本体部１２１２の外周部１２１３まで延在する。例示的な実施形態によれば、導入部１２３４は、ボトルＢの口へのボトルアダプタコネクタ１２００の挿入を容易にするために、第２端部に画定される。したがって、例示的な実施形態では、導入部１２３４は、例えばボトルアダプタコネクタ１２００をボトルＢ内に簡単に挿入することができるように、ボトルアダプタコネクタ１２００の第２端部をボトルＢの口と適切に位置合わせする際に、ユーザを支援することが好ましい。
【００５９】
図３２に示されるように、ボトルアダプタコネクタ１２００は、ボトルＢの口内に完全に挿入され、それにより、フランジ１２１４は実質的に曲がり、ボトルＢの口の内面と摩擦係合する。例示的な実施形態では、ボトルアダプタコネクタ１２００がボトルＢの口内に完全に挿入されると、シェルフ１２１６の停止面１２１７は、ボトル開口部の端部に当接する。
【００６０】
本発明の別の例示的な実施形態によれば、ボトルアダプタコネクタ１２００の１以上の部分は、ＥＤＭ表面仕上げ、または、例えばテクスチャ加工された表面仕上げを有するか、または、少なくとも部分的に疎水性もしくは疎油性であり、容器内の流体の分子間の結合を最大化し、かつボトル内の流体の分子とテクスチャ加工された表面仕上げまたは疎水性もしくは疎油性表面との間の接触面積を最小化する非極性境界として機能することができる。したがって、非極性層はその表面から流体の分子を排除し、これにより、テクスチャ加工された表面（または、他の疎水性または疎油性の表面）に存在する流体は概して玉となり、流体の液滴を形成する。例えば、図３３に示されるように、傾斜面の全体及びフランジ１２１４の少なくとも１つの表面は、テクスチャ加工された表面仕上げ１２４０を有する。任意選択で、導入部１２３４は表面仕上げ１２４０を有することができる。このように、ボトルＢから導管１２２４を介してシリンジＳ内に流体を移動させると、非極性境界への流体の反応によって液滴が形成され、流体分子は、サイズを小さくすることができず、ボトルＢ内、または傾斜面１２３０の１以上の部分の近傍、導入部１２３４（または、ボトルアダプタコネクタ１２００の１以上の他の部分）に捕捉されたままになり得る。例示的な一実施形態によれば、テクスチャ加工された表面仕上げは、約１２〜４５のＶＤＩ範囲を有するテクスチャ加工された表面仕上げを含む。任意選択で、必要に応じた他のＶＤＩ値を使用することができる。
【００６１】
本発明のさらに別の例示的な実施形態によれば、ベース部の傾斜面がテーパ部１２３２を有するのではなく、傾斜面が、概して、導管から円筒形本体部の外周面まで実質的に直線の経路に沿って延在することができる。例えば、図３４に示すように、ベース部１３２６は、雄継手１３２２の導管１３２４から円筒形本体部１３１２の外周面１３１３まで実質的に直線の経路に沿って延在する傾斜面１３３０を有する。他の例示的実施形態では、傾斜面１３３０は１以上の線形セグメント、及び／または１以上の非線形セグメントを含み、これらは両方とも、ボトルから流体すべてを取り除くことが望ましい場合、すべてではなくともほとんどの流体がボトルＢ内に残らないように、漏斗状の特徴を提供することが好ましい。別の例示的実施形態では、雄継手は、任意選択で、雌継手、例えばシリンジＳと同様の雌継手の形態であってもよく、これにより、雄継手を備えたシリンジが、雌継手と接続することによって、ボトルＢとシリンジＳとの間に流体の移送を提供することができる。くつかの例示的な実施形態では、コネクタが設けられた雌継手（例えば、雄継手の代わりに）の場合、雌継手は、例えば、上記と同様にルーメン延長先端部をさらに含むことができ、これにより、投与の不正確さが実質的に最小限に抑えられる（完全には排除されなくとも）。
【００６２】
好ましい例示的な実施形態を参照して本発明を説明したが、添付の特許請求の範囲によって定義されるように、様々な修正、追加、及び削除が本発明の範囲内であることが当業者によって理解されるであろう。
【図１】
2020530334.tif 000003
【図２】
2020530334.tif 000004
【図３】
2020530334.tif 000005
【図４】
2020530334.tif 000006
【図５】
2020530334.tif 000007
【図６】
2020530334.tif 000008
【図７】
2020530334.tif 000009
【図８】
2020530334.tif 000010
【図９】
2020530334.tif 000011
【図１０】
2020530334.tif 000012
【図１１】
2020530334.tif 000013
【図１２】
2020530334.tif 000014
【図１３】
2020530334.tif 000015
【図１４】
2020530334.tif 000016
【図１５】
2020530334.tif 000017
【図１６】
2020530334.tif 000018
【図１７】
2020530334.tif 000019
【図１８】
2020530334.tif 000020
【図１９】
2020530334.tif 000021
【図２０】
2020530334.tif 000022
【図２１】
2020530334.tif 000023
【図２２】
2020530334.tif 000024
【図２３】
2020530334.tif 000025
【図２４】
2020530334.tif 000026
【図２５】
2020530334.tif 000027
【図２６】
2020530334.tif 000028
【図２７】
2020530334.tif 000029
【図２８】
2020530334.tif 000030
【図２９】
2020530334.tif 000031
【図３０】
2020530334.tif 000032
【図３１】
2020530334.tif 000033
【図３２】
2020530334.tif 000034
【図３３】
2020530334.tif 000035
【図３４】
2020530334.tif 000036
【国際調査報告】
2020530334.tif 000037
2020530334.tif 000038